(57)【要約】      （修正有）【課題】使用勝手を向上させた便座シートを提供する。【解決手段】便座シート１は、前縁ＡＢに開口部１０Ａを有すると共に、該開口部１０Ａより受け入れた便座２の表裏を覆う袋状体１０と、便座２の便座開口部２Ａに対向する袋状体１０の部位に切り離し自在な切れ目１１が形成されているものである。袋状体１０の素材はトイレに流すことができる水に離解又は溶ける紙で形成されている。【選択図】図２
0003132355.tif 000002
【実用新案登録請求の範囲】
【請求項１】
前縁に開口部を有すると共に、該開口部より受け入れた前記便座の表裏を覆う袋状体と、
前記便座の便座開口部に対向する前記袋状体の部位に切り離し自在な切れ目が形成されている
ことを特徴とする便座シート。
【請求項２】
便座を受け入れる開口部を残して周囲が接続された偏平な袋状体と、
この袋状体の中央に開口容易な切れ目が環状に形成されている
ことを特徴とする便座シート。
【請求項３】
前縁に開口部を有すると共に、該開口部より受け入れた前記便座の表裏を覆う袋状体と、
前記便座の便座開口部に対向する前記袋状体の部位に中央開口部が形成されている
ことを特徴とする便座シート。
【請求項４】
袋状体は、便座を受け入れる開口部の他に、該開口部が対向する側も開口した対向開口部を有した両端が開口する筒状の袋である
ことを特徴とする請求項１又は請求項３記載の便座シート。
【請求項５】
袋状体は、トイレに流すことができる水に離解又は溶ける紙で形成されている
ことを特徴とする請求項１〜３のいずれかの便座シート。
【考案の詳細な説明】
【技術分野】
【０００１】
本考案は、便座シートに係り、特に、使用勝手を向上させた便座シートに関する。
【背景技術】
【０００２】
従来、不特定の人が使用する公衆トイレにあっては、衛生面を考慮した使い捨ての便座シートがある（特許文献１参照）。
【０００３】
この便座シートは、平面視、長方形で、該長方形の中央に楕円形状の開口部を有している。
しかしながら、この便座シートは一枚のシート状部材で、該一枚のシート状部材を便座の上に載置するため、不安定で、便座シートがずれ易く、便座シートがずれると、便座シートが露出して、使用者の臀部が便座シートに当接し、使用勝手が良好でないという問題点があった。
【特許文献１】特開平７−５９６７７号公報
【考案の開示】
【考案が解決しようとする課題】
【０００４】
本考案は、前記した問題点を除去するようにした便座シートを提供することを目的としている。
【課題を解決するための手段】
【０００５】
前記した目的を達成するための本考案の便座シートは、前縁に開口部を有すると共に、該開口部より受け入れた前記便座の表裏を覆う袋状体と、前記便座の便座開口部に対向する前記袋状体の部位に切り離し自在な切れ目が形成されているものである。
【０００６】
また、請求項２記載の便座シートは、便座を受け入れる開口部を残して周囲が接続された偏平な袋状体と、この袋状体の中央に開口容易な切れ目が環状に形成されているものである。
【０００７】
また、請求項３記載の便座シートは、前縁に開口部を有すると共に、該開口部より受け入れた前記便座の表裏を覆う袋状体と、前記便座の便座開口部に対向する前記袋状体の部位に中央開口部が形成されているものである。
【０００８】
また、請求項４記載の便座シートは、請求項１又は請求項３記載の便座シートにおいて、袋状体は、便座を受け入れる開口部の他に、該開口部が対向する側も開口した対向開口部を有した両端が開口する筒状の袋である。
【０００９】
また、請求項５記載の便座シートは、請求項１〜３のいずれかの便座シートにおいて、袋状体は、トイレに流すことができる水に離解又は溶ける紙で形成されているものである。
【考案の効果】
【００１０】
請求項１記載の便座シートによれば、袋状体で便座の表裏を覆うため、従来のように、便座シートのずれにより便座シートが露出して、使用者の臀部が便座シートに当接するのを防ぐことができ、しかも、便座シートは袋状体に形成されているため、便座シートを便座へ容易に装着することができる。
【００１１】
また、請求項２記載の便座シートによれば、便座を受け入れる開口部を残して周囲が接続された偏平な袋状体で便座の表裏を覆うため、従来のように、便座シートのずれにより便座シートが露出して、使用者の臀部が便座シートに当接するのを防ぐことができ、しかも、便座シートは袋状体に形成されているため、便座シートを便座へ容易に装着することができる。
【００１２】
また、請求項３記載の便座シートによれば、袋状体で便座の表裏を覆うため、従来のように、便座シートのずれにより便座シートが露出して、使用者の臀部が便座シートに当接するのを防ぐことができ、しかも、便座シートは袋状体に形成されているため、便座シートを便座へ容易に装着することができ、更に、便座の便座開口部に対向する袋状体の部位に中央開口部が予め形成されているため、請求項１又は２記載の考案のような「切れ目を切断する作業」も不要で使用勝手を向上させることができる。
【考案を実施するための最良の形態】
【００１３】
本考案の一実施例である便座シートを図面を参照して説明する。
図１乃至図５において、１は便座シートで、便座シート１は、前縁ＡＢに開口部１０Ａを有すると共に、該開口部１０Ａより受け入れた便座２の表裏を覆う袋状体１０を有している。
また、袋状体１０は、便座２を受け入れる開口部１０Ａを残して周囲が接続された偏平な袋状体である。袋状体１０は、例えば、図１（ａ）に示すように、長方形形状のシート状部材１０ａ、１０ｂの前縁ＡＢを残して周囲を接着剤[図１（ｂ）の斜線部参照］により接着して接続するようにしている。
なお、袋状体１０の素材は、トイレに流すことができる水に離解又は溶ける紙で形  成されている。
【００１４】
また、１１は便座２の便座開口部２Ａ（図４及び図５参照）に対向する便座２の表裏を覆う袋状体１０の部位に形成された切り離し自在な切れ目である。この切れ目１１は、袋状体１０の中央に開口容易なように環状に形成されている。
上述した便座シート１は、例えば、図５に示すように、前縁ＡＢを上にして積層した便座シート１を連結部材２０で連結して収納された容器３０を壁４０に取り付け、便座シート１の前縁ＡＢに対向する辺を下に位置させるようにする。
【００１５】
従って、図５に示す容器３０から便座シート１を引っ張って取り出し、図２に示すように、便座シート１の開口部１０Ａより便座２へ装着する（図３参照）。装着後、切れ目１１に沿って便座２の便座開口部２Ａに対向する便座２の表裏を覆う袋状体１０の部位を切り離す。図４に示す１０ｃは、切り離された部位である。
その結果、上述した便座シート１によれば、袋状体１０で便座２の表裏を覆うため、従来のように、便座シートのずれにより便座シートが露出して、使用者の臀部が便座シート１に当接するのを防ぐことができ、しかも、便座シート１は袋状体１０に形成されているため、便座シート１を便座２へ容易に装着することができる。
【００１６】
なお、上述した実施例においては、偏平な袋状体１０は、便座２を受け入れる開口部１０Ａを残して周囲が接続されたものとなっているが、本考案にあっては、これに限らず、例えば、図６に示すような偏平な袋状体１０でも良い。
即ち、偏平な袋状体１０は、便座２を受け入れる開口部１０Ａの他に、該開口部１０Ａが対向する側も開口した対向開口部１０Ｂを有した両端が開口する筒状の袋でも上述した実施例と同様な効果を有する。
【００１７】
また、上述した実施例（図１乃至図６）においては、便座２の便座開口部２Ａ（図４及び図５参照）に対向する袋状体１０の部位に切り離し自在な切れ目１１が形成されているが、本考案にあっては、これに限らず、例えば、図７に示すような「便座２の便座開口部２Ａに対向する袋状体１０の部位」に中央開口部１０ｄが形成されていても良い。
予め中央開口部１０ｄが形成されている分、上述した実施例（図１乃至図６）のような「切れ目１１を切断する作業」も不要で使用勝手が良好である。
【図面の簡単な説明】
【００１８】
【図１】図１は、本考案の一実施例の便座シートの概略的斜視図であり、図１（ａ）は、便座シートの製作過程の概略的斜視図であり、図１（ｂ）は、図１（ａ）の二枚のシート状部材を前縁を残して周囲を接着剤により接続して形成された便座シートの概略的斜視図である。
【図２】図２は、図１の便座シートを便座へ装着する状態を示す概略的側面図である。
【図３】図３は、図１の便座シートを便座へ装着した状態を示す概略的側面図である。
【図４】図４は、図３の概略的平面図である。
【図５】図５は、図１の便座シートの収納状態の概略的斜視図である。
【図６】図６は、図１の便座シートと異なる他の実施例の便座シートの概略的斜視図である。
【図７】図７は、図６の便座シートと異なる他の実施例の便座シートの概略的斜視図である。
【符号の説明】
【００１９】
１    …便座シート
１Ａ  …開口部
２    …便座
２Ａ  …便座開口部
１１  …切れ目
ＡＢ  …前縁
【図１】
0003132355.tif 000003
【図２】
0003132355.tif 000004
【図３】
0003132355.tif 000005
【図４】
0003132355.tif 000006
【図５】
0003132355.tif 000007
【図６】
0003132355.tif 000008
【図７】
0003132355.tif 000009